(57)【要約】      （修正有）【課題】引起装置を容易に着脱できるようにする。【解決手段】刈取搬送装置前部における上部支持部４Ｄに引起装置に対して駆動力を出力する主動軸４ｘを設け、引起装置８の上部取付部８Ｄに主動軸４ｘの駆動力が入力される駆動軸８ｘを設けると共に、主動軸４ｘと駆動軸８ｘとは上部取付部８Ｄを上部支持部４Ｄに取り付けた状態で相互に伝動可能な係合状態となり、かつ上部取付部８Ｄを上部支持部４Ｄから前方に離間した状態で伝動が切れた分離状態となる伝動接続構成とし、引起装置８は上部取付部８Ｄを上部支持部４Ｄから取り外した状態で刈取搬送装置前部における下部支持軸４Ｅを支えとして下部支持部４Ｅよりも上方側の部分が前後揺動可能であるとともに、その前方揺動により主動軸４ｘ及び駆動軸８ｘが分離状態となり、かつその後方揺動により上部取付部８Ｄが上部支持部４Ｄに対する取付け位置に位置決めされる下部支持構成とした。【選択図】図１４
2012039976.tif 000002
【特許請求の範囲】
【請求項１】
穀稈を刈り取る刈取搬送装置（４）の前部に、引起装置（８）の上部及び下部を着脱可能に取り付ける上部支持部（４Ｄ）及び下部支持部（４Ｅ）をそれぞれ設け、
引起装置（８）の上部及び下部に、前記上部支持部（４Ｄ）及び下部支持部（４Ｅ）に着脱可能に取り付ける上部取付部（８Ｄ）及び下部取付部（８Ｅ）をそれぞれ設け、
前記上部支持部（４Ｄ）又はその近傍に、引起装置（８）に対して駆動力を出力する主動部（４ｘ）を設け、前記上部取付部（８Ｄ）又はその近傍に、主動部（４ｘ）の駆動力が入力される従動部（８ｘ）を設けるとともに、これら主動部（４ｘ）と従動部（８ｘ）とは、前記上部取付部（８Ｄ）を前記上部支持部（４Ｄ）に取り付けた状態で相互に伝動可能な係合状態となり、かつ前記上部取付部（８Ｄ）を前記上部支持部（４Ｄ）から前方に離間した状態で伝動が切れた分離状態となる伝動接続構成とし、
前記引起装置（８）は、前記上部取付部（８Ｄ）を前記上部支持部（４Ｄ）から取り外した状態で、下部支持部（４Ｅ）を支えとして該下部支持部（４Ｅ）よりも上方側の部分が前後揺動可能であるとともに、その前方揺動により前記主動部（４ｘ）及び従動部（８ｘ）が前記分離状態となり、かつその後方揺動により前記上部取付部（８Ｄ）が前記上部支持部（４Ｄ）に対する取り付け位置に位置決めされる下部支持構成としたことを特徴とする刈取搬送装置における引起装置の取付構造。
【請求項２】
前記下部支持部（４Ｅ）を左右方向に延びる下部支持軸（４Ｅ）となし、前記下部取付部（８Ｅ）を、前記下部支持軸（４Ｅ）を上方から掴んで回動可能に支持すること及び前記下部支持軸（４Ｅ）を離して下方に抜き出すことが可能な握持部（８Ｅ）とし、この握持部（８Ｅ）の握持を操作する操作部（８ｖ，８Ｌ）を設けたことを特徴とする請求項１記載の刈取搬送装置における引起装置の取付構造。
【請求項３】
前記上部支持部（４Ｄ）と下部支持部（４Ｅ）とを、前記引起装置（８）の背後で縦方向に延びる連結フレーム（４０）により連結したことを特徴とする請求項１又は２記載の刈取搬送装置における引起装置の取付構造。
【請求項４】
前記引起装置（８）による引起経路を通過する穀稈を検出する穀稈センサ（２５）、前記引起装置（８）の背後で穀稈の穂先を案内する穂先側ガイド（２６）、前記引起装置（８）の背後で穀稈の株元を案内する株元側ガイド（２７）、及び前記引起装置（８）に注油する注油具のうちの少なくとも一つを前記連結フレーム（４０）に取り付けたことを特徴とする請求項３記載の刈取搬送装置における引起装置の取付構造。
【請求項５】
前記引起装置（８）を左右方向に間隔を空けて４基以上配置するとともに、少なくとも、左端の引起装置（８）と右端の引起装置（８）との間に位置する中間の引起装置（８）の一部又は全てを、前記伝動接続構成及び前記下部支持構成としたことを特徴とする請求項１〜４のいずれか１項に記載の刈取搬送装置における引起装置の取付構造。
【発明の詳細な説明】
【技術分野】
【０００１】
本発明は、コンバイン等の刈取搬送装置前部に取り付けられる引起装置の取付構造に関するものである。
【背景技術】
【０００２】
コンバインにおいては、圃場に植立する穀稈を引起すための引起装置を刈取搬送装置前部に備えている。かかる引起装置は、製造又は刈取搬送装置内に生じた刈取穀稈の詰まりを取り除くメンテナンス等の際に組み付ける又は取り外す必要がある。この引起装置の着脱を容易にするための手段として、引起装置の背面（裏面）上部及び下部をボルト等の締結具により刈取搬送装置前部の上部支持部及び下部支持部にそれぞれ着脱可能に取り付ける技術が知られている（特許文献１参照）。この場合における、引起装置への伝動手段は、引起装置の背面上部から突出する引起装置駆動用のスプライン軸と、刈取搬送装置前部の上部支持部に設けられたスプライン孔とのスプライン嵌合により構成される。
引起装置を刈取搬送装置に取り付ける際には、引起装置側のスプライン軸を、刈取搬送装置前部における上部支持部のスプライン孔に差し込んだ後、引起装置の背面上部と刈取搬送装置前部の上部支持部とを締結具で締結するとともに、穀稈引起ケースの背面下部と刈取搬送装置前部の下部支持部とを締結具で締結する。逆に、引起装置を取り外すに際しては、引起装置背面の上部及び下部と刈取搬送装置前部の上部支持部及び下部支持部とをそれぞれ締結する締結具を緩めて、穀稈引起装置と刈取搬送装置前部との連結を解除した後、引起装置を前方に引っ張って、引起装置のスプライン軸を刈取搬送装置前部における上部支持部のスプライン孔から引き抜くようにする。
【先行技術文献】
【特許文献】
【０００３】
【特許文献１】特開２００７−７５０３１号公報
【特許文献２】特開２００７−６０９５１号公報
【発明の概要】
【発明が解決しようとする課題】
【０００４】
しかし、この先行例における引起装置の着脱構造は、取り付けの際に何の支えもなしに引起装置の背面のスプライン軸を刈取搬送装置前部のスプライン孔に挿入する必要があり、その作業が容易でないといった問題点や、引起装置の背面上部及び下部を締結具で刈取搬送装置前部に締結していない状態では、穀稈引起装置を別途支持しない限り、スプライン嵌合のみで引起装置を支えることになり、スプライン軸やスプライン孔等の伝動機構に過度の負荷が加わるおそれがあるといった問題点があった。
そこで、本発明の主たる課題は、かかる問題点を解消することにある。
【課題を解決するための手段】
【０００５】
上記課題を解決した本発明は次のとおりである。
すなわち、請求項１記載の発明は、穀稈を刈り取る刈取搬送装置（４）の前部に、引起装置（８）の上部及び下部を着脱可能に取り付ける上部支持部（４Ｄ）及び下部支持部（４Ｅ）をそれぞれ設け、
引起装置（８）の上部及び下部に、前記上部支持部（４Ｄ）及び下部支持部（４Ｅ）に着脱可能に取り付ける上部取付部（８Ｄ）及び下部取付部（８Ｅ）をそれぞれ設け、
前記上部支持部（４Ｄ）又はその近傍に、引起装置（８）に対して駆動力を出力する主動部（４ｘ）を設け、前記上部取付部（８Ｄ）又はその近傍に、主動部（４ｘ）の駆動力が入力される従動部（８ｘ）を設けるとともに、これら主動部（４ｘ）と従動部（８ｘ）とは、前記上部取付部（８Ｄ）を前記上部支持部（４Ｄ）に取り付けた状態で相互に伝動可能な係合状態となり、かつ前記上部取付部（８Ｄ）を前記上部支持部（４Ｄ）から前方に離間した状態で伝動が切れた分離状態となる伝動接続構成とし、
前記引起装置（８）は、前記上部取付部（８Ｄ）を前記上部支持部（４Ｄ）から取り外した状態で、下部支持部（４Ｅ）を支えとして該下部支持部（４Ｅ）よりも上方側の部分が前後揺動可能であるとともに、その前方揺動により前記主動部（４ｘ）及び従動部（８ｘ）が前記分離状態となり、かつその後方揺動により前記上部取付部（８Ｄ）が前記上部支持部（４Ｄ）に対する取り付け位置に位置決めされる下部支持構成としたことを特徴とする刈取搬送装置における引起装置の取付構造である。
【０００６】
請求項２記載の発明は、前記下部支持部（４Ｅ）を左右方向に延びる下部支持軸（４Ｅ）となし、前記下部取付部（８Ｅ）を、前記下部支持軸（４Ｅ）を上方から掴んで回動可能に支持すること及び前記下部支持軸（４Ｅ）を離して下方に抜き出すことが可能な握持部（８Ｅ）とし、この握持部（８Ｅ）の握持を操作する操作部（８ｖ，８Ｌ）を設けたことを特徴とする請求項１記載の刈取搬送装置における引起装置の取付構造である。
【０００７】
請求項３記載の発明は、前記上部支持部（４Ｄ）と下部支持部（４Ｅ）とを、前記引起装置（８）の背後で縦方向に延びる連結フレーム（４０）により連結したことを特徴とする請求項１又は２記載の刈取搬送装置における引起装置の取付構造である。
【０００８】
請求項４記載の発明は、前記引起装置（８）による引起経路を通過する穀稈を検出する穀稈センサ（２５）、前記引起装置（８）の背後で穀稈の穂先を案内する穂先側ガイド（２６）、前記引起装置（８）の背後で穀稈の株元を案内する株元側ガイド（２７）、及び前記引起装置（８）に注油する注油具のうちの少なくとも一つを前記連結フレーム（４０）に取り付けたことを特徴とする請求項３記載の刈取搬送装置における引起装置の取付構造である。
【０００９】
請求項５記載の発明は、前記引起装置（８）を左右方向に間隔を空けて４基以上配置するとともに、少なくとも、左端の引起装置（８）と右端の引起装置（８）との間に位置する中間の引起装置（８）の一部又は全てを、前記伝動接続構成及び前記下部支持構成としたことを特徴とする請求項１〜４のいずれか１項に記載の刈取搬送装置における引起装置の取付構造である。
【発明の効果】
【００１０】
請求項１記載の発明では、引起装置（８）を取り付ける際は、引起装置（８）を刈取搬送装置（４）前部の下部支持部（４Ｅ）で支えた状態で、引起装置（８）の下部取付部（８Ｅ）を下部支持部（４Ｅ）に取り付ける作業、引起装置（８）を後方に揺動し、上部取付部（８Ｄ）を上部支持部（４Ｄ）に対する取り付け位置に持ち込んで取り付け、主動部（４ｘ）と従動部（８ｘ）とを伝動可能な係合状態にする作業によって、この引起装置（８）を刈取搬送装置（４）側に取り付けることができる。また、引起装置（８）の取り外しに際しては、引起装置（８）を刈取搬送装置（４）前部の下部支持部（４Ｅ）で支えた状態で、引起装置（８）の上部取付部（８Ｄ）を上部支持部（４Ｄ）から取り外して引起装置（８）を前方に揺動し、上部取付部（８Ｄ）を上部支持部（４Ｄ）から前方に離間させて主動部（４ｘ）及び従動部（８ｘ）を分離状態にする作業、及び引起装置（８）の下部取付部（８Ｅ）を下部支持部（４Ｅ）から取り外す作業によって、この引起装置（８）を刈取搬送装置（４）側から取り外すことができる。よって、刈取搬送装置（４）前部の下部支持部（４Ｅ）を支えとして引起装置（８）を容易に着脱することができ、刈取搬送装置（４）内に刈取穀稈の詰まりを生じた場合でも、引起装置（８）を取り外すことで、この刈取穀稈を容易に取り除くことができ、刈取作業の能率を高めることができる。さらにこの刈取搬送装置（４）のメンテナンスの際に伝動機構に過度の負荷が加わるおそれもなくなり、この伝動機構の破損を防止することができる。
【００１１】
請求項２記載の発明によれば、上記請求項１記載の発明の効果を奏するうえに、下部取付部（８Ｅ）と下部支持部（４Ｅ）との取付構造、及び下部支持部（４Ｅ）を支えとした引起装置（８）の揺動機構を簡素な機構で実現することができる。
【００１２】
請求項３記載の発明によれば、上記請求項１又は２記載の発明の効果を奏するうえに、刈取搬送装置（４）前部の上部支持部（４Ｄ）と下部支持部（４Ｅ）とを引起装置（８）の背後で縦方向に延びる連結フレーム（４０）により連結したことにより、引起装置（８）を取り付けた状態では連結フレーム（４０）の補強作用により引起装置（８）が強固に支持されるようになり、また引起装置（８）の着脱途中においては上部支持部（４Ｄ）及び下部支持部（４Ｅ）の位置がブレ難くなり、着脱の作業性が向上する。また、連結フレーム（４０）は引起装置（８）の背後に位置しているため、穀稈の移送の邪魔となりにくく、穀稈の移送を円滑に維持できる。
【００１３】
請求項４記載の発明によれば、上記請求項３記載の発明の効果を奏するうえに、穀稈センサ（２５）、穂先側ガイド（２６）、注油具等を連結フレーム（４０）に設けることにより、引起装置（８）を取り外す際に、これらの器具又はその付属チューブやケーブルを取り外さなくても良くなるため、引起装置（８）の着脱作業が更に容易となる。
【００１４】
他方、引起装置（８）を左右方向に間隔を空けて４基以上配置した刈取搬送装置では、左端の引起装置（８）及び右端の引起装置（８）よりもそれらの間に位置する中間の引起装置（８）の背後で穀稈の詰まりが発生し易い。また、左端の引起装置（８）及び右端の引起装置（８）は比較的容易に側方から手を入れてメンテナンスを行うことができるが、中間の引起装置（８）の背後はそのようなことが行い難い。これに対して、請求項５記載の発明によれば、上記請求項１〜４のいずれか１項に記載の発明の効果を奏するうえに、少なくとも中間の引起装置（８）については前述の本発明の伝動接続構成及び下部支持構成とし、刈取搬送装置（４）からの着脱を容易にしたため、詰まりが発生し易く且つ手を入れるのが困難な部位のメンテナンス作業が容易となる。
【図面の簡単な説明】
【００１５】
【図１】コンバインの側面図である。
【図２】コンバインの正面図である。
【図３】コンバインの背面図である。
【図４】コンバインの平面図である。
【図５】刈取搬送装置の要部の側面図である。
【図６】刈取搬送装置の要部の正面図である。
【図７】刈取搬送装置の要部の平面図である。
【図８】引起装置の側面図である。
【図９】引起装置の要部の背面図である。
【図１０】刈取搬送装置の要部の正面図である。
【図１１】刈取搬送装置の要部の側面図である。
【図１２】引起装置近傍の要部の側面図である。
【図１３】主動軸及び駆動軸の着脱構造を示す縦断面図である。
【図１４】引起装置近傍の要部の側面図である。
【図１５】刈取搬送装置の要部の側面図である。
【図１６】引起装置の要部の背面図である。
【発明を実施するための形態】
【００１６】
以下、本発明の一実施の形態について添付図面を参照しつつ詳説する。
図１〜図４は本実施形態に係るコンバインを示しており、図５〜図１６はその各部を示している。このコンバインは、左右一対の走行クローラ２，２を備えた走行車体１上の左右いずれか一方側に脱穀装置３を搭載し、この脱穀装置３の前側に、穀稈を刈り取って脱穀装置３に搬送する刈取搬送装置４を配置し、刈取搬送装置４の横側には運転席５や操作ボックス６等の運転操作部を備え、更に、その運転操作部の後方には脱穀粒を一時的に貯留するグレンタンクＧを装備しているものである。
【００１７】
刈取搬送装置４は、圃場に植立する穀稈を左右に分草する分草体７，７…と、分草後の穀稈を引起経路Ｋに沿って引き起す４条の穀稈引起装置８，８…と、引起し後の穀稈の株元近くを切断して穀稈を刈り取る公知のバリカン型刈刃装置９と、引起し時の穀稈を刈刃装置９側に誘導し、刈取後の穀稈を後方に掻き込む掻込装置１０と、掻込装置１０で掻込まれた掻込み穀稈の株元と穂先側とを脱穀装置３に向けて搬送する上下２段の穀稈搬送装置１２Ｌ，１２Ｒ、１３Ｌ，１３Ｒ、１４、１９等を有するものである。
【００１８】
図５〜図７に示されるように、本実施形態の掻込装置１０は、刈刃装置９のすぐ上側に設けられた掻込スターホイール１１と、それより前側であって引起装置８の後側に設けられた掻込ラグ１０ｒを有する無端状の掻込ベルト１０ｂとで構成されている。掻込スターホイール１１及び掻込ベルト１０ｂはそれぞれ各引起経路Ｋに対して左右一対設けられており、引起し時の穀稈は一対の掻込ベルト１０ｂの間を通して掻込スターホイール１１側に誘導された後、一対の掻込スターホイール１１で挟持されて後方の穀稈搬送装置１２Ｌ，１２Ｒ、１３Ｌ，１３Ｒ、１４、１９に向けて掻き込まれる。
【００１９】
本実施形態における穀稈搬送装置１２Ｌ，１２Ｒ、１３Ｌ，１３Ｒ、１４、１９は、上下２段に配置された穂先側搬送装置１３Ｌ，１３Ｒ，１９及び株元側搬送装置１２Ｌ，１２Ｒ，１４から構成されている。このうち、穂先側搬送装置１３Ｌ，１３Ｒ，１９は、右端の掻込ベルト１０ｂ後端部のすぐ上側の位置から穀稈合流部Ｊ上方を通り脱穀装置３の供給部に向かって穀稈の穂先側を搬送する右穂先搬送装置１３Ｒと、左端の掻込ベルト１０ｂ後端部のすぐ上側の位置から穀稈合流部Ｊ上方まで穀稈の穂先側を搬送する左穂先搬送装置１３Ｌと、右穂先搬送装置１３Ｒの終端部から脱穀装置３の供給部に合流穀稈の穂先側を送り込む供給搬送装置１９とで構成されている。これら搬送装置１３Ｌ，１３Ｒ，１９は、図示しない駆動スプロケット及び従動輪に巻き掛けられて駆動される無端チェンと、この無端チェンに所定の間隔で取り付けられた搬送ラグと、チェンにおける搬送側に沿って設けられた図示しないガイドとを有し、無端チェンとガイドとの間に位置する穀稈をラグにより押して搬送する公知のものを採用することができる。
【００２０】
また、株元側搬送装置１２Ｌ，１２Ｒ，１４は、右端の掻込スターホイール１１のすぐ上側の位置から左後斜め上方の幅方向中央近傍の穀稈合流部Ｊに向かって穀稈の株元側を挟持して搬送する右株元搬送装置１２Ｒと、左端の掻込スターホイール１１のすぐ上側の位置から右後斜め上方の幅方向中央近傍の穀稈合流部Ｊに向かって穀稈の株元側を挟持して搬送する左株元搬送装置１２Ｌと、穀稈合流部Ｊから脱穀装置３のフィードチェン３Ｆへの引継ぎ部まで合流穀稈の株元側を挟持して搬送する調節搬送装置１４とで構成されている。これら各株元搬送装置１２Ｌ，１２Ｒ，１４は、図示しない駆動スプロケット及び従動輪に巻き掛けられて駆動される無端の搬送チェンと、この搬送チェンにおける搬送側に沿って設けられた図示しない挟持杆との間に穀稈を挟持して搬送する公知のものを採用することができる。
【００２１】
掻込装置１０で掻込まれ、刈取搬送装置４で刈り取られた穀稈は、穀稈搬送装置１２Ｌ，１２Ｒ、１３Ｌ，１３Ｒ、１４、１９により後方へ搬送され、且つその搬送過程で合流及び、姿勢・位置調整がなされた後、脱穀装置３のフィードチェン３Ｆに引き渡され、脱穀装置３において脱穀される。脱穀装置３は公知の構成を採用することができる。
【００２２】
刈取搬送装置４について更に詳細に説明する。刈取搬送装置４は、走行車体１前部の図示しない刈取懸架台に袈設された刈取支持軸２３を支点として上下に回動する刈取支持フレーム２１により支持され、図示しない刈取昇降シリンダの伸縮作動により昇降するようになっている。刈取支持フレーム２１は、刈取支持軸２３から前斜め下向きに突出するメインフレーム２１Ｍと、このメインフレーム２１Ｍの先端部から左右両側に延在する下部横フレーム２１Ｈとで構成される略Ｔ字型の部分と、下部横フレーム２１Ｈの両端部から引起装置８の左右両側上方までそれぞれ延在する左右の引起支持フレーム２１Ｖ，２１Ｖと、これら引起支持フレーム２１Ｖ，２１Ｖの上端部間を連結する上部横フレーム２１Ｌと、左端及び右端の各引起装置８の背後並びに中間に位置する一対の引起装置８，８の背後において上部横フレーム２１Ｌから引起装置８の上部取付部まで吊り下がるように延在する引起上部取付フレーム２１Ｄと、下部横フレーム２１Ｈの前側に設けられた刈刃支持フレーム２１Ｐと、刈刃支持フレーム２１Ｐの前側に設けられた引起下部取付フレーム２１Ｕとを有している。
【００２３】
そして、刈刃支持フレーム２１Ｐには刈刃装置９が取り付けられており、また、引起下部取付フレーム２１Ｕからは各分草体７，７…を支持する分草支持杆７ｓが前方に突出している。
【００２４】
メインフレーム２１Ｍ、下部横フレーム２１Ｈ、左右いずれか一方の引起支持フレーム２１Ｖ、上部横フレーム２１Ｌ、及び引起上部取付フレーム２１Ｄには、メイン伝動軸２４Ｍ、下部横伝動軸２４Ｈ、引起支持伝動軸２４Ｖ、上部横伝動軸２４Ｌ、及び引起上部取付伝動軸２４Ｄがそれぞれ内装されており、刈取支持軸２３に入力される動力は、図示しないギヤにより連動する各伝動軸２４Ｍ，２４Ｈ，２４Ｖ，２４Ｌ，２４Ｄを介して各引起装置８に伝動される。また、下部横伝動軸２４Ｈの両端部からは図示しないギヤを介して刈刃装置９に伝動される。また、左側の引起支持伝動軸２４Ｖからは図示しないギヤを介して刈取搬送装置４の左側構成機器（左穂先搬送装置１３Ｌ、左株元搬送装置１２Ｌ）及び掻込装置１０の左側構成機器（左側の一対の掻込ベルト１０ｂ、左側の一対の掻込スターホイール１１）に伝動され、メイン伝動軸２４Ｍからは図示しないギヤを介して刈取搬送装置４の右株元搬送装置１２Ｒ及び調節搬送装置１４、並びに掻込装置１０の右側構成機器（右側の一対の掻込ベルト１０ｂ、右側の一対の掻込スターホイール１１）に伝動されるようになっている。さらに、刈取支持軸２３の左側延長部分からは、図示しないギヤを介して刈取搬送装置４の右穂先搬送装置１３Ｒ及び供給搬送装置１９に伝動されるようになっている。
【００２５】
引起装置８は、本実施形態では４条刈コンバインであるから、引起しラグ８ｒが対向する左右一対を一組として三組が配置されている。図８及び図９に詳細に示されるように、各引起装置８は、引起ケース８Ｂと、その前面に着脱可能に支持された引起カバー８Ａと、引起ケース８Ｂ前面における上端部及び下端部にそれぞれ設けられた引起駆動スプロケット８ｓ及び引起従動輪８ｗと、引起駆動スプロケットの側方に上下動自在に並設されたテンション調節スプロケット８ｔと、これらに巻き掛けられて駆動される無端の引起チェン８ｃと、この引起チェンに所定の間隔で取り付けられた引起ラグ８ｒと、一端が引起ケース８Ｂの上端部に連結され、他端がテンション調節スプロケット８ｔの支持部に対して連結されたテンションスプリング８ｎとを有している。引起ラグ８ｒは、引起しチェン８ｃの駆動に伴って後斜め上方に上昇移動する際、引起装置８から引起経路Ｋ側の側方に突出して穀稈を引き起すものである。これら引起装置８の構成部品は引起ケース８Ｂにより支持されており、後述する引起装置８の着脱の際、アセンブリ状態で着脱することができる。
【００２６】
引起装置８は、図１２に示されるように、その裏面における上部及び下部にそれぞれ設けられた上部取付部８Ｄ及び下部取付部８Ｅにおいて、刈取搬送装置４の前部に設けられた上部支持部４Ｄ及び下部支持部４Ｅにそれぞれ着脱可能に取り付けられる。
【００２７】
より詳細には、図８及び図１３に示されるように、引起上部取付フレーム２１Ｄの下端部（上部支持部）４Ｄに、引起装置８に対して駆動力を出力する主動軸（主動部）４ｘが軸支され、この主動軸４ｘが引起装置８側に突出するとともに、その先端部が角軸４ｐとされる一方、引起ケース８Ｂの裏面における上部（上部取付部）に、引起駆動スプロケット８ｓの駆動軸（従動部）８ｘが軸支されるとともに、引起上部取付フレーム２１Ｄ側に露出しており、この駆動軸８ｘの先端部に、主動軸４ｘの先端部４ｐが同心状に嵌合する角孔８ｐが形成されている。
【００２８】
また、引起下部取付フレーム２１Ｕの上部には、左右方向に延びる下部支持軸（下部支持部）４Ｅが設けられ、この下部支持軸４Ｅと引起上部取付フレーム２１Ｄの下端部４Ｄとが、引起装置８の背後で縦方向に延びる連結フレーム４０により連結されている。さらに、図示形態では引起装置８を取付状態に固定するための引起固定手段３０として、連結フレーム４０の上端部に揺動自在に取り付けられたレバー部材３１と、このレバー部材３１に枢着された環状部材３２と、引起ケース８Ｂの裏面における駆動軸８ｘの下側近傍に固定されたフック状部材３３とからなり、レバー部材３１をフック状部材３３側に揺動させて環状部材３２をフック状部材３３に係合した後にレバー部材３１をフック状部材３３と反対側に倒すことにより、トグル作用により環状部材３２を引き寄せて掛け止めるフック式固定具（いわゆるパッチン錠）を採用している。
【００２９】
この引起固定手段３０としては、図示しないが、引起装置８と、刈取搬送装置４の前部（例えば連結フレーム４０や、引起上部取付フレーム２１Ｄ、引起下部取付フレーム２１Ｕ等）との対向部分のうち、いずれか一方に雌ネジ孔を設け、他方にボルト挿通孔を設け、ノブ付きボルトをこのボルト挿通孔を介して雌ネジ孔に螺合させる固定構造や、対向部分の両者にピン挿通孔を設けてベータピン等の固定ピンにより固定する構造等、公知の固定手段を採用することができる。
【００３０】
引起ケース８Ｂの裏面における下部には、下部支持軸４Ｅを上方から掴んで回動可能に支持すること及び下部支持軸４Ｅを離して下方に抜き出すことが可能な握持部８Ｅが下部取付部として設けられている。図示例では、この握持部８Ｅは、下方から下部支持軸４Ｅが挿入可能な凹欠部８ｕを有し、引起ケース８Ｂの裏面に固定された固定部材８ｆと、この固定部材８ｆの凹欠部８ｕの入口を開閉可能である開閉部材８ｍとを有するものである。開閉部材８ｍは、固定部材８ｆにおける凹欠部８ｕの上側に設けられた左右方向に沿う回動軸８ｑを中心として回動可能に取り付けられるとともに、図８及び図９に示すように回動軸８ｑよりも後方側の部位が連結ワイヤー８Ｌを介して引起装置８の裏面上部の操作レバー８ｖに連結されており、操作レバー８ｖは、引起ケース８Ｂ裏面から突出する揺動軸８ｉを中心として揺動可能とされている。
【００３１】
操作レバー８ｖを揺動させると、これに伴い開閉部材８ｍが固定部材８ｆにおける凹欠部８ｕの入口を閉じる位置と、開放する位置との間で回動するとともに、閉状態では固定部材８ｆと開閉部材８ｍとで下部支持軸４Ｅを上方から掴んで回動可能に支持することができ、また開状態では固定部材８ｆにおける凹欠部８ｕの入口の下方から下部支持軸４Ｅを出し入れすることができる。また、開閉部材８ｍは、固定部材８ｆの凹欠部８ｕの入口を閉じる部分の下縁が、後斜下向きに傾斜した傾斜縁とされており、固定部材８ｆの凹欠部８ｕの入口を塞いだ状態で下部支持軸４Ｅの上に載せると、その傾斜縁によって開閉部材８ｍが開方向に押し出され、開閉部材８ｍの操作をせずとも下部支持軸４Ｅを固定部材８ｆの凹欠部８ｕ内に押し入れることができる。
【００３２】
なお、図示例では、握持部８Ｅを引起装置８側に設け、下部支持軸４Ｅを刈取支持フレーム２１側に設けているが、反対に下部支持軸４Ｅを引起装置８側に設け、握持部８Ｅを刈取支持フレーム２１側に設けることもでき、その場合には下部支持軸４Ｅが引起装置８の下部取付部となり、握持部８Ｅが下部支持部となる。
【００３３】
そして、以上のような装置構成を採用することにより、例えば次のように引起装置８の着脱を行うことができる。すなわち、引起装置８を取り付ける際は、先ず操作レバー８ｖを上昇させて固定部材８ｆの凹欠部８ｕの入口を開放した状態で、その入口に下方から刈取支持フレーム２１前部の下部支持軸４Ｅが入るように、引起装置８を下降させてその握持部８Ｅを下部支持軸４Ｅ上に載せる。また、図示形態のように開閉部材８ｍの下縁が傾斜縁とされている場合は、操作レバー８ｖを上昇させずに、下部支持軸４Ｅを固定部材８ｆの凹欠部８ｕ内に押し入れれば良い。そして、図１４及び図１５に示すように引起装置８の下部を引起下部取付フレーム２１Ｕで支えた状態にしたならば、次いで操作レバー８ｖを下降させて固定部材８ｆと開閉部材８ｍとで下部支持軸４Ｅを上方から掴んで回動可能に支持することにより、引起装置８を握持部８Ｅにより下部支持軸４Ｅに取り付ける作業が完了する。この後、引起装置８を下部支持軸４Ｅを中心として後方に揺動し、引起装置８の上部取付部８Ｄを引起上部取付フレーム２１Ｄの下端部４Ｄに対する取り付け位置に持ち込み、図１３（ａ）に示すように引起装置８裏面の駆動軸８ｘの角孔８ｐに、引起上部取付フレーム２１Ｄの下端部４Ｄから突出する主動軸４ｘの角軸先端部４ｐを嵌合して伝動可能に連結するとともに、引起固定手段３０により引起装置８と刈取支持フレーム２１とを固定することにより図１２に示す状態となり、上部取付作業が完了する。
【００３４】
引起装置８の取外しは取り付けとは反対の作業となる。すなわち、取付状態から、引起装置８の下部を引起下部取付フレーム２１Ｕで支えた状態で、引起固定手段３０による引起装置８と刈取支持フレーム２１との固定を解除し、引起装置８を下部支持軸４Ｅを中心として前方に揺動し、上部取付部８Ｄを引起上部取付フレーム２１Ｄの下端部４Ｄから前方に離間させて、図１３（ｂ）に示すように引起装置８裏面の駆動軸８ｘの角孔８ｐから主動軸４ｘの角軸先端部４ｐを抜いて伝動を分離するとともに、図１４及び図１５に示すように、操作レバー８ｖを上昇させて固定部材８ｆにおける凹欠部８ｕの入口を開放する。しかる後、固定部材８ｆにおける凹欠部８ｕの入口から下部支持軸４Ｅを下方に出すように引起装置８を持上げて引起装置８を刈取支持フレーム２１から完全に分離することで取り外し作業が完了する。
【００３５】
このように作業することで、刈取搬送装置４前部の下部支持軸４Ｅを支えとして引起装置８を容易に着脱することができ、さらにその作業の際に伝動機構に過度の負荷が加わるおそれもないのである。しかも、図示形態ではこのような機構を簡素に実現している。また、引起上部取付フレーム２１Ｄの下端部４Ｄと下部支持軸４Ｅとを引起装置８の背後で縦方向に延びる連結フレーム４０により連結したことにより、引起装置８を取り付けた状態では連結フレーム４０の補強作用により引起装置８が強固に支持されるようになり、また引起装置８の着脱途中においては引起上部取付フレーム２１Ｄの下端部４Ｄと下部支持軸４Ｅの位置がブレ難くなり、着脱の作業性が向上する。また、連結フレーム４０は引起装置８の背後に位置しているため、穀稈の移送の邪魔となることもない。
【００３６】
さらに、このような連結フレーム４０を設ける場合、従来は引起装置８側に設けられていた機器、具体的には引起装置８による引起経路Ｋを通過する穀稈を検出する穀稈センサ２５や、引起装置８の背後で右穂先搬送装置１３Ｒ及び左穂先搬送装置１３Ｌより上側に突出する穀稈の穂先側部分を穀稈合流部Ｊへ向けて案内する穂先側ガイド２６、引起装置８の背後で右穂先搬送装置１３Ｒ及び左穂先搬送装置１３Ｌと右株元搬送装置１２Ｒ及び左株元搬送装置１２Ｌとの間に位置する穀稈の株元側部分を穀稈合流部Ｊへ案内する株元側ガイド２７、引起装置８の引起チェン８ｃ等に注油する注油ノズル、注油ホース等の注油具（図示略）等を連結フレーム４０に取り付けると、引起装置を取り外す際に、これらの器具又はその付属チューブやケーブルを取り外さなくても良くなり、引起装置の着脱作業が更に容易となるため好ましい。図示例では、穀稈センサ２５の取付台座２５ｓ、穂先側ガイド２６の取付台座２６ｓ、株元側ガイド２７の取付台座２７ｓ、引起装置８に注油する注油ノズルの取付台座２８ｓを連結フレーム４０にそれぞれ設けている。このような取付形態においては、穀稈センサのハーネス及び注油ホースを連結フレーム４０に沿わせて取り付けるのが好ましい。また、図示例では穂先側ガイド２６及び株元側ガイド２７は棒材により形成しているが、板材により形成することもできる。
【００３７】
他方、上述のような引起装置８の伝動接続構成及び下部支持構成は、全ての引起装置８に適用するとメンテナンス性が向上するため好ましいが、一部の引起装置８のみに適用し、他の引起装置８については従来の取付構造を適用することもできる。特に、引起装置８を左右方向に間隔を空けて４基以上配置したコンバインでは、左端の引起装置８及び右端の引起装置８よりもそれらの間に位置する中間の引起装置８の背後の穀稈合流部Ｊで穀稈の詰まりが発生し易い。また、左端の引起装置８及び右端の引起装置８は比較的容易に側方から手を入れてメンテナンスを行うことができるが、中間の引起装置８の背後はそのようなことが行い難い。そこで、少なくとも中間の引起装置（穀稈合流部Ｊ前方を覆う引起装置）８，８については前述の伝動接続構成及び下部支持構成とし、刈取搬送装置４からの着脱を容易にすることで、詰まりが発生し易く且つ手を入れるのが困難な部位のメンテナンス作業を容易にするのが好ましい。
【００３８】
また、複数の引起装置８を着脱可能とした場合、各条の引起装置８を個別に着脱可能とすると、作業時の重量負荷が軽減される利点があるが、複数又は全ての引起装置８を一体化しておき、一度の作業で複数又は全ての引起装置８を着脱可能とするのも好ましい。特に、図１６に示すように、左右方向中間等の隣接する二条の引起装置８，８を左右方向に延在する連結部材８Ｙにより連結しておき、一体的に着脱するのは好ましい形態である。
【産業上の利用可能性】
【００３９】
本発明は、刈取搬送装置４前部に引起装置８を備えるコンバイン等に利用できるものである。
【符号の説明】
【００４０】
１      走行車体
３      脱穀装置
４      刈取搬送装置
４Ｄ    上部支持部
４Ｅ    下部支持軸（下部支持部）
４ｐ    先端部（角軸）
５      運転席
６      操作ボックス
７ｓ    分草支持杆
８      引起装置
８Ａ    引起カバー
８Ｂ    引起ケース
８ｃ    引起チェン
８Ｄ    上部取付部
８Ｅ    握持部（下部取付部）
８ｆ    固定部材
８ｉ    揺動軸
８Ｌ    連結ワイヤー
８ｍ    開閉部材
８ｎ    テンションスプリング
８ｐ    角孔
８ｑ    回動軸
８ｒ    引起ラグ
８ｓ    引起駆動スプロケット
８ｔ    テンション調節スプロケット
８ｕ    凹欠部
８ｖ    操作レバー
８ｗ    引起従動輪
８ｘ    駆動軸
８Ｙ    連結部材
９      刈刃装置
１０    掻込装置
１０ｂ  掻込ベルト
１０ｒ  掻込ラグ
１１    掻込スターホイール
１２Ｌ  左株元搬送装置
１２Ｒ  右株元搬送装置
１３Ｌ  左穂先搬送装置
１３Ｒ  右穂先搬送装置
１４    調節搬送装置
１９    供給搬送装置
２１    刈取支持フレーム
２１Ｄ  引起上部取付フレーム
２１Ｄ  取付フレーム
２１Ｈ  下部横フレーム
２１Ｌ  上部横フレーム
２１Ｍ  メインフレーム
２１Ｐ  刈刃支持フレーム
２１Ｕ  引起下部取付フレーム
２１Ｖ  引起支持フレーム
２３    刈取支持軸
２４Ｄ  引起上部取付伝動軸
２４Ｈ  下部横伝動軸
２４Ｌ  上部横伝動軸
２４Ｍ  メイン伝動軸
２４Ｖ  引起支持伝動軸
２５    穀稈センサ
２５ｓ  穀稈センサ取付台座
２６    穂先側ガイド
２６ｓ  穂先側ガイド取付台座
２７    株元側ガイド
２７ｓ  株元側ガイド取付台座
２８ｓ  注油ノズル取付台座
３０    引起固定手段
３１    レバー部材
３２    環状部材
３Ｆ    フィードチェン
４０    連結フレーム
Ｇ      グレンタンク
Ｊ      穀稈合流部
Ｋ      引起経路
【図１】
2012039976.tif 000003
【図２】
2012039976.tif 000004
【図３】
2012039976.tif 000005
【図４】
2012039976.tif 000006
【図５】
2012039976.tif 000007
【図６】
2012039976.tif 000008
【図７】
2012039976.tif 000009
【図８】
2012039976.tif 000010
【図９】
2012039976.tif 000011
【図１０】
2012039976.tif 000012
【図１１】
2012039976.tif 000013
【図１２】
2012039976.tif 000014
【図１３】
2012039976.tif 000015
【図１４】
2012039976.tif 000016
【図１５】
2012039976.tif 000017
【図１６】
2012039976.tif 000018